(57)【要約】【課題】機械的に吐水，止水を行うための弁をカウンター下部に設けてカウンター上部の水栓を軽量化し且つ常に清潔にし、水栓の意匠をデザインする際の自由度を向上させ、すべてのユーザーにとって水栓の操作が容易な水栓装置を提供する。【解決手段】水栓装置１は、カウンター１１の上部に水栓１２が配置され、水栓の吐出部１３から水槽に水を流すための装置である。水栓装置では、水栓の先端部近傍に操作部２０を設け、機械的に吐水，止水を行うための弁２１をカウンターの下部に設け、操作部を操作することによる機械的な動作を伝達手段２２を介して弁に伝達して、この弁が吐水，止水を行う。【選択図】図２
2008081989.tif 000002
【特許請求の範囲】
【請求項１】
カウンターの上部に水栓が配置され、この水栓の吐出部から水槽に水を流すための水栓装置であって、
前記水栓の先端部近傍に操作部を設け、機械的に吐水および止水を少なくとも行うための弁を前記カウンターの下部に設け、前記操作部を操作することによる機械的な動作を伝達手段を介して前記弁に伝達して、この弁が少なくとも吐水および止水の各動作を行うようにしたことを特徴とする水栓装置。
【請求項２】
請求項１に記載の水栓装置であって、
前記操作部に対して、吐水および止水を行うための吐止水操作と、水と湯を切換えるための湯水切換操作とが可能であり、
前記弁は、前記吐水および前記止水を行う吐止水動作と、水の供給と湯の供給を切換える湯水切換動作とが可能であり、
前記伝達手段は、可撓性の第１のワイヤと可撓性の第２のワイヤとを有し、
前記操作部に対する前記吐止水操作を前記第１のワイヤにより前記弁に伝達してこの弁が前記吐止水動作を行い、前記操作部に対する前記湯水切換操作を前記第２のワイヤにより前記弁に伝達してこの弁が前記湯水切換動作を行うようにしたことを特徴とする水栓装置。
【請求項３】
請求項２に記載の水栓装置であって、
前記操作部は吐止水操作用カム機構と湯水切換操作用カム機構を有しており、
前記吐止水操作による第１の回転運動を前記吐止水操作用カム機構により前記第１のワイヤの中心軸線方向の進退運動に変換し、
前記湯水切換操作による第２の回転運動を前記湯水切換操作用カム機構により前記第２のワイヤの中心軸線方向の進退運動に変換するようにしたことを特徴とする水栓装置。
【請求項４】
請求項３に記載の水栓装置であって、
前記伝達手段は、前記カウンターの下部に配置されて前記弁と連結された弁駆動部を有しており、
この弁駆動部は、前記第１のワイヤの前記進退運動をこの進退運動の方向に対して直交する方向の直線運動に変換して前記弁に伝達する第１の弁駆動用カム機構と、前記第２のワイヤの前記進退運動を回転運動に変換して前記弁に伝達する第２の弁駆動用カム機構とを有し、
前記弁は、前記第１の弁駆動用カム機構により前記直線運動が伝達されたとき前記吐止水動作を行い、前記第２の弁駆動用カム機構により前記回転運動が伝達されたとき前記湯水切換動作を行うようにしたことを特徴とする水栓装置。
【請求項５】
請求項２，３または４に記載の水栓装置であって、前記第１のワイヤと前記第２のワイヤは、それぞれガイド手段により周囲を囲まれて拘束された状態で各中心軸線方向に進退運動のみを行うことを特徴とする水栓装置。
【請求項６】
請求項１ないし５のいずれかの項に記載の水栓装置であって、
前記水栓は、前記カウンターに取付けられた中空のケース部と、このケース部の先端に配置されて前記吐出部を有するヘッド部と、前記ケース部に取付けられた前記操作部と、前記ヘッド部と前記操作部の内方に配置され、前記ヘッド部と前記弁とを連通させる折曲自在なホースとを有し、
このホースが接続された前記ヘッド部を引き出して任意の位置および方向に移動可能であることを特徴とする水栓装置。
【発明の詳細な説明】
【技術分野】
【０００１】
本発明は、キッチンや洗面化粧台などに設けられる水栓装置に関する。
【背景技術】
【０００２】
キッチンや洗面化粧台などに設けられる水栓装置は、キッチンなどのカウンターの上部に水栓が配置され、この水栓の吐出部から水槽に水を流すようになっている。一例としての水栓装置は、操作レバーと弁とが組み込まれたレバーカートリッジが水栓に搭載されており、操作レバーを操作すると弁が開閉して吐水と止水が行われる。
このレバーカートリッジは、操作レバーなどを有する操作部と、吐水，止水および流量調節などを行う弁など機構部とを有しており、操作部や機構部が水栓本体から横方向や斜め方向に大きく張り出している場合が多い。
なお、操作部と機構部とが別体になって、機構部が水栓の根元に配置され、操作部が水栓の先端部に配置されている水栓装置も知られている。
【０００３】
特許文献１（特開２００５−１２１２２２号公報）には、弁カートリッジ（前記レバーカートリッジに相当）が吐出体（水栓）の根元に設けられた湯水混合水栓（水栓装置）が記載されている。
このような、水栓の根元に操作レバーを設けた構造の水栓装置には、操作レバーが横方向を向くタイプや斜め方向を向くタイプがあるが、操作レバーが水栓の根元に位置しているので、どうしてもレバーカートリッジのところに溜まった水が水垢になって、水栓が汚れやすくなる。
また、操作レバーがユーザーから遠い位置にあるので、キッチンの前方で作業を行うユーザーにとって手を伸ばしても水栓を操作しにくい場合がある。特に、ユーザーが子供や老人などの場合には、操作レバーに手が届きにくいことがあった。
【０００４】
そこで、水栓の先端部またはその近傍にレバーカートリッジの全部または一部を設けて、水栓の先端で操作を行なって電気的または機械的に吐水および止水を行う先端操作方式の下記Ａ，Ｂ，Ｃタイプの水栓装置が提案されている。
たとえば、Ａタイプの水栓装置は、従来は水栓の根元に搭載されていたレバーカートリッジを、水栓の先端部に搭載した機械的構造の水栓装置である。
Ｂタイプの水栓装置は電気的な装置で、赤外線センサを水の吐出部の近傍に設け、ユーザーがセンサに手をかざして赤外線を遮蔽すると赤外線センサから信号が送られて電磁弁を開閉して吐水および止水を行うようになっている。特許文献２（実公平８−９２４６号公報）には、Ｂタイプの自動水栓の手動操作機構が開示されている。
さらに、Ｃタイプの水栓装置は、水栓の先端にレバーカートリッジを設け、その弁をボールバルブとした機械的構成の装置である。
【０００５】
【特許文献１】特開２００５−１２１２２２号公報
【特許文献２】実公平８−９２４６号公報
【発明の開示】
【発明が解決しようとする課題】
【０００６】
調理作業の際にユーザーは操作レバーを濡れた手で触ることが多いので、従来のレバーカートリッジでは、操作部が濡れて水垢などが発生して不衛生になりがちであり、また、レバーカートリッジの清掃を行う場合もユーザーの手が届きにくい場合があった。
特許文献１などに記載の水栓装置では、キッチンなどのカウンター上部の水栓が重くなりがちであり、また、レバーカートリッジに水が付着して汚れるので頻繁に清掃を行う必要があった。
【０００７】
特許文献２などに記載の先端操作方式のＢタイプの水栓装置では、水栓の先端にレバーカートリッジの全体または一部を設けるので、水栓の意匠をデザインする際の自由度に制約があり、水栓を常に清潔に保つための清掃が面倒であった。
また、Ｂタイプの水栓装置では、赤外線センサや電磁弁が水栓に搭載されているので、赤外線センサの感度が遅いと、吐水および止水の動作が遅れる傾向があり、また、イニシャルコストが高価で、一方、吐止水（吐水および止水）のためだけのランニングコストとして電気代がかかってコストパーフォーマンスは低くなっていた。また、このＢタイプの水栓装置では、吐止水はできるが湯水の切換えはできなかった。
ＡタイプとＣタイプの各水栓装置では、ホースを内蔵させてこのホースが接続されたヘッド部を引き出す構成にすることは構造上不可能であり、水栓の機能の設計に制約があった。
【０００８】
本発明はこのような課題を解決するためになされたもので、機械的に吐水および止水を少なくとも行うための弁をカウンターの下部に設けてカウンター上部の水栓を軽量化し且つ常に清潔にするとともにこの水栓の意匠をデザインする際の自由度を向上させることができ、また、すべてのユーザーにとって水栓の操作が容易な水栓装置を提供することを目的とする。
【課題を解決するための手段】
【０００９】
上述の目的を達成するため、本発明にかかる水栓装置は、カウンターの上部に水栓が配置され、この水栓の吐出部から水槽に水を流すための水栓装置であって、前記水栓の先端部近傍に操作部を設け、機械的に吐水および止水を少なくとも行うための弁を前記カウンターの下部に設け、前記操作部を操作することによる機械的な動作を伝達手段を介して前記弁に伝達して、この弁が少なくとも吐水および止水の各動作を行うようにしている。
好ましい実施態様として、前記操作部に対して、吐水および止水を行うための吐止水操作と、水と湯を切換えるための湯水切換操作とが可能であり、前記弁は、前記吐水および前記止水を行う吐止水動作と、水の供給と湯の供給を切換える湯水切換動作とが可能であり、前記伝達手段は、可撓性の第１のワイヤと可撓性の第２のワイヤとを有し、前記操作部に対する前記吐止水操作を前記第１のワイヤにより前記弁に伝達してこの弁が前記吐止水動作を行い、前記操作部に対する前記湯水切換操作を前記第２のワイヤにより前記弁に伝達してこの弁が前記湯水切換動作を行うようにしている。
前記操作部は吐止水操作用カム機構と湯水切換操作用カム機構を有しており、前記吐止水操作による第１の回転運動を前記吐止水操作用カム機構により前記第１のワイヤの中心軸線方向の進退運動に変換し、前記湯水切換操作による第２の回転運動を前記湯水切換操作用カム機構により前記第２のワイヤの中心軸線方向の進退運動に変換するのが好ましい。
前記伝達手段は、前記カウンターの下部に配置されて前記弁と連結された弁駆動部を有しており、この弁駆動部は、前記第１のワイヤの前記進退運動をこの進退運動の方向に対して直交する方向の直線運動に変換して前記弁に伝達する第１の弁駆動用カム機構と、前記第２のワイヤの前記進退運動を回転運動に変換して前記弁に伝達する第２の弁駆動用カム機構とを有し、前記弁は、前記第１の弁駆動用カム機構により前記直線運動が伝達されたとき前記吐止水動作を行い、前記第２の弁駆動用カム機構により前記回転運動が伝達されたとき前記湯水切換動作を行うようにするのが好ましい。
前記第１のワイヤと前記第２のワイヤは、それぞれガイド手段により周囲を囲まれて拘束された状態で各中心軸線方向に進退運動のみを行うのが好ましい。
前記水栓は、前記カウンターに取付けられた中空のケース部と、このケース部の先端に配置されて前記吐出部を有するヘッド部と、前記ケース部に取付けられた前記操作部と、前記ヘッド部と前記操作部の内方に配置され、前記ヘッド部と前記弁とを連通させる折曲自在なホースとを有し、このホースが接続された前記ヘッド部を引き出して任意の位置および方向に移動可能であるのが好ましい。
【発明の効果】
【００１０】
本発明の水栓装置は、上述のように構成したので、吐水および止水を少なくとも行うための弁をカウンターの下部に設けてカウンター上部の水栓を軽量化し且つ常に清潔にするとともに水栓の意匠をデザインする際の自由度を向上させることができ、また、すべてのユーザーにとって水栓の操作を容易に行うことができる。
【発明を実施するための最良の形態】
【００１１】
下記の実施例にかかる水栓装置は、キッチンなどのカウンターの上部に水栓が配置され、この水栓の吐出部から水槽に水を流すための装置である。この水栓装置は、水栓の先端部近傍に操作部を設け、機械的に吐水および止水を少なくとも行うための弁をカウンターの下部に設け、操作部を操作することによる機械的な動作を伝達手段を介して弁に伝達し、この弁が少なくとも吐水および止水の各動作を行う。
これにより、カウンター上部の水栓を軽量化し且つ常に清潔にするとともにこの水栓の意匠をデザインする際の自由度を向上させ、また、すべてのユーザーにとって水栓の操作を容易にするという目的を実現している。
【００１２】
本実施例における水栓装置は、台所に設置されるキッチン（たとえば、複合厨房家具の一種であるシステムキッチン，セクショナルキッチン）に設けられて水栓の吐出部から水槽としてのシンクに水を流す。なお、水栓装置は、洗面化粧台に設けられた場合であってもよく、この場合は水栓の吐出部から水槽としての洗面ボールに水を流すことになる。
本実施例の水栓装置では吐止水と湯水切換えの両方ができるが、吐止水のみを行う場合であってもよい。
【実施例】
【００１３】
以下、本発明にかかる一実施例を図１ないし図１８を参照して説明する。
図１は、本発明の水栓装置が設けられたシステムキッチンの一部を示す斜視図、図２は、水栓装置の全体を示す正面図で、一部を断面で示している。図３は、水栓装置の全体を示す斜視図で、一部を断面で示している。
図４は水栓装置の分解斜視図、図５は、水栓装置の一部を示す分解斜視図、図６は水栓を示す斜視図、図７は、水栓における吐止水操作を示す斜視図、図８は、水栓における湯水切換操作を示す斜視図、図９は、水栓におけるヘッド部を引き出した状態を示す斜視図、図１０は水栓の取付け構造を示す斜視図である。
【００１４】
図１に示すように、水栓装置１は、台所に設置されるキッチンの一種であるシステムキッチン２に設けられている。システムキッチン２は、床面上に設置されたキャビネット３を有している。キャビネット３には、各種形状，構造の複数の引き出し（引き出し４，１０など）が、引き出し収納自在に設けられている。
キャビネット３は、シンクキャビネット５と調理台キャビネット６の他に、コンロキャビネットや他の調理台キャビネットが順次並設された構成を有している。ワークトップ７が、キャビネット５，６などの上部を覆って取付けられており、調理台キャビネット６の上部のワークトップ７は調理台になっている。
シンクキャビネット５には、水栓装置１，水槽としてのシンク８，複数の引き出し４などが設けられて、単体としての厨房家具が構成されている。これと同様に、調理台キャビネット６には、食器洗い乾燥機９，引き出し１０などが設けられている。これにより、システムキッチン２は、単体としての厨房家具が複合した複合厨房家具を構成している。
【００１５】
図１ないし図１０に示すように、水栓装置１は、カウンター１１の上部に設けられた水栓２の吐出部１３から、水槽としてのシンク８に水（たとえば、冷水または温水）を流すための装置である。
なお、水栓装置１は洗面化粧台に設けられる場合でもよい。この場合は、カウンターの上部に水栓１２が配置され、水栓１２の吐出部１３から水槽としての洗面ボールに水（たとえば、冷水または温水）を流すことになる。
本発明で「吐水」，「吐止水」の操作や動作は、単に吐出部１３から水を流す場合や、水を遮断する場合のほか、流量調節を行う場合も含んでいる。また、「湯水の切換え」の操作や動作は、単に水と湯を切換える場合のほか、水と湯を混合して温水にする場合（温度調節する場合）も含んでいる。
【００１６】
シンク８の上面またはワークトップ７の面（本実施例では、シンク８の上面）がカウンター１１になっている。カウンター１１に水栓装置１が取付けられ、水栓１２がカウンター１１より上方に突出している。
水栓装置１は、カウンター１１から上方に突出して所定形状に折曲形成された中空のケース部としての上部ケース２５と、カウンター１１の下方に配置されて上下方向を向いている中空のケース部としての下部ケース２６とを有している。上部ケース２５と下部ケース２６の間にはフランジ部２７が形成され、フランジ部２７により水栓装置１がカウンター１１に取付けられている。
【００１７】
水栓装置１において、水栓１２の先端部近傍には操作部２０が設けられている。カウンター１１の下部には、機械的に吐水および止水を少なくとも行うための弁２１が設けられている。
水栓装置１は、操作部２０を操作することによる機械的な動作を伝達手段２２を介して弁２１に伝達して、弁２１が少なくとも吐水および止水の各動作を行うようにしている。その結果、機械的に吐水および止水を少なくとも行うための弁２１をカウンター１１の下部に設けて、カウンター上部の水栓１２を軽量化し且つ常に清潔にするとともに、水栓１２の意匠をデザインする際の自由度を向上させることができ、また、すべてのユーザーにとって水栓１２の操作が容易になる。
【００１８】
上部ケース２５は所定形状に湾曲して形成されており、上部ケース２５の先端部には操作部２０が設けられ、操作部２０の操作レバー２８をユーザーが操作することになる。水栓１２の先端部にはヘッド部２９が設けられており、上部ケース２５とヘッド部２９の間に操作部２０が位置している。
ヘッド部２９は、通常は操作部２０の先端部側に位置決め保持されているが、ヘッド部２９にはホース３０が接続されて、ヘッド部２９を任意の方向および位置に引き出し可能になっている（図３，図９）。
このように、水栓１２は、カウンター１１に取付けられた中空の上部ケース２５と、上部ケース２５の先端に配置されて吐出部１３を有するヘッド部２９と、上部ケース２５に取付けられた操作部２０と、ヘッド部２９と弁２１とを連通させて内部を水が流れる折曲自在なホース３０とを有している。
そして、ホース３０が接続されたヘッド部２９を引き出して、ヘッド部２９を任意の方向および位置に移動可能になっている（図３，図９）。ヘッド部２９をシンク８内の任意の位置に移動させて水を流すことにより、洗浄や調理などを自在に行うことができる。
【００１９】
ホース３０は、任意の形状に折り曲げ可能な管状体であり、一端がヘッド部２９に接続され、他端が弁２１に接続されている。
端部が弁２１に接続されたホース３０は、下部ケース２６の途中に形成された貫通孔４２を通って下部ケース２６内を通り、上部ケース２５と操作部２０の内方を貫通してヘッド部２９に接続されている。
貫通孔４２には一つまたは複数のＯリング４９が設けられ、Ｏリング４９は水栓装置１の内方と外方をシールしている。これにより、たとえば弁２１に万一水漏れが生じてこれが水栓１２などの内部に溜まった場合でも、この水が貫通孔４２を通って外部に流れ出る恐れがなくなる。また、Ｏリング４９を設けたので、ホース３０は貫通孔４２内をスムーズに移動することができる。
【００２０】
弁２１には、水の配管４０と湯の配管４１が接続されている。水の配管４０と湯の配管４１の途中には、それぞれユーザーが手動で操作するための供給弁（図示せず）が設けられて、弁２１に対する水，湯の供給をオン，オフできるようになっているが、供給弁は通常は開状態になっている。
弁２１は、配管４０，４１からそれぞれ供給される水，湯の吐水（流量調節を含む）と止水を行う吐止水動作が可能である。また、弁２１は、配管４０による水の供給と配管４１による湯の供給を切換える（水と湯の混合も含む）湯水切換動作も可能である。
弁２１を通った水，湯（または、水と湯を混合した温水）は、ホース３０内を流れ、ヘッド部２９を通って吐出部１３からシンク８に流れ出る。
【００２１】
操作部２０に対して、吐水および止水を行うための吐止水操作（矢印Ｂ1に示す操作）と、水と湯を切換えるための湯水切換操作（矢印Ｂ2に示す操作）とが可能である。伝達手段２２は、可撓性の第１のワイヤ２３と可撓性の第２のワイヤ２４とを有している。
操作部２０に対する吐止水操作（矢印Ｂ1）を第１のワイヤ２３により弁２１に伝達して、弁２１が吐止水動作を行う。また、操作部２０に対する湯水切換操作（矢印Ｂ2）を第２のワイヤにより弁２１に伝達して、弁２１が湯水切換動作を行う。このようにすれば、水栓装置１は、吐出部１３からの吐水および止水を行うとともに、湯水を切換えて、任意の水量で且つ任意の温度の水または温水を流すことができる。
また、可撓性の第１のワイヤ２３と第２のワイヤ２４を伝達手段２２として使用しているので、ユーザーが操作部２０を操作すれば、操作部２０の動作が第１のワイヤ２３と第２のワイヤ２４を介して弁２１に直ちに機械的に伝達されることになり、弁２１では、動作の遅れが生じることがなく直ちに吐水，止水，湯水切換えが行われる。
【００２２】
伝達手段２２は、カウンター１１の下部に配置されて弁２１と連結され且つ弁２１を駆動するための弁駆動部３１を有している。フランジ部２７から下方に向けて有底円筒状の下部ケース２６が延びており、下部ケース２６の内部に弁駆動部３１が収納されている。下部ケース２６の内方最下部に弁２１が収納され、弁２１のすぐ上部に弁駆動部３１が配置されている。
下部ケース２６は、カウンター１１に形成された取付け孔４３を貫通して配置されて、カウンター１１に取付けられている。下部ケース２６に形成されたねじ４４にナット４５をねじ込むことにより、フランジ部２７のフランジ４６とナット４５でカウンター１１を上下から挟んだ状態で、水栓装置１がカウンター１１に位置決め固定されている。
【００２３】
第１のワイヤ２３と第２のワイヤ２４は、それぞれガイド手段４７により周囲を囲まれて拘束された状態で、各中心軸線方向に進退運動のみを行う。これにより、操作部２０を操作することによる機械的な動作を、第１のワイヤ２３と第２のワイヤ２４を介して確実に且つ直ちに弁駆動部３１に伝達することができる。
上部ケース２５と下部ケース２６の内部には、ガイド部材４８が収納されている。ガイド部材４８には、第１のワイヤ２３をその軸線方向に移動可能に案内する第１の孔５０と、第２のワイヤ２４をその軸線方向に移動可能に案内する第２の孔５１とが形成されている。
ガイド部材４８は、上部にフランジ５２を有する筒状部材５３の内方に嵌合固定されている。なお、ガイド部材４８と筒状部材５３を別体で形成した場合を示しているが、ガイド部材４８と筒状部材５３を一体形成した場合であってもよい。
筒状部材５３の内方下部に弁駆動部３１が固定されている。筒状部材５３のフランジ５２は、フランジ部２７を構成してカウンター１１に取付けられている。筒状部材５３の外周全体は下部ケース２６に覆われている。
【００２４】
ガイド部材４８の孔５０，５１から上方に出た第１のワイヤ２３と第２のワイヤ２４は、それぞれ第１のワイヤ拘束管５４と第２のワイヤ拘束管５５に周囲を囲まれて拘束された状態で、各中心軸線方向に進退運動のみを行う。
第１のワイヤ拘束管５４と第２のワイヤ拘束管５５は、上部ケース２５の内方に収納されるとともに上部ケース２５の形状に沿って所定形状に形成され、ガイド部材４８から操作部２０まで延びている。
操作部２０を操作することによる機械的な動作は、第１のワイヤ２３と第２のワイヤ２４をそれぞれ中心軸線方向に進退運動させる。この進退運動は弁駆動部３１に伝達され、弁駆動部３１に駆動された弁２１は吐止水動作と湯水切換動作とを行う。
このように、伝達手段２２は、第１のワイヤ２３，第２のワイヤ２４，ガイド手段４７および弁駆動部３１により構成されている。ガイド手段４７は、ガイド部材４８，筒状部材５３，第１のワイヤ拘束管５４および第２のワイヤ拘束管５５により構成されている。
【００２５】
次に、操作部２０と弁駆動部３１の構成について説明する。
図１１は操作部２０の分解斜視図、図１２は、他の方向から見たときの操作部２０の分解斜視図、図１３は、操作部２０の組込み途中の状態を示す分解斜視図、図１４は、図１３に示す組込みに続く操作部２０の組込み途中の状態を示す分解斜視図、図１５は、操作部２０の組込みが完了した状態を示す斜視図である。
図１６は弁駆動部３１などを示す部分拡大断面図、図１７は弁駆動部３１の斜視図、図１８は、弁駆動部３１の内部構造を示す断面斜視図である。
【００２６】
図１１ないし図１８に示すように、操作部２０は、吐止水操作用カム機構６０と湯水切換操作用カム機構６１とを有している。
操作レバー２８を用いた吐止水操作Ｂ1による第１の回転運動を、吐止水操作用カム機構６０により第１のワイヤの中心軸線方向の進退運動に変換している。また、操作レバー２８を用いた湯水切換操作Ｂ2による第２の回転運動を、湯水切換操作用カム機構６１により第２のワイヤ２４の中心軸線方向の進退運動に変換している。
このように、吐止水操作用カム機構６０と湯水切換操作用カム機構６１を操作部２０に設けたので、操作レバー２８を操作すれば、第１のワイヤ２３と第２のワイヤ２４をそれぞれ進退運動させて、各進退運動により弁駆動部３１を駆動することができる。
【００２７】
弁駆動部３１は、第１のワイヤ２３の進退運動を、この進退運動の方向（矢印Ｄ1方向）に対して直交する方向（矢印Ｅ1の方向）の直線運動に変換して弁２１に伝達する第１の弁駆動用カム機構６２と、第２のワイヤ２４の進退運動（矢印Ｄ2）を回転運動（矢印Ｅ2）に変換して弁２１に伝達する第２の弁駆動用カム機構６３とを有している。
弁２１は、第１の弁駆動用カム機構６２で直線運動が伝達されたとき吐止水動作を行い、第２の弁駆動用カム機構６３で回転運動が伝達されたとき湯水切換動作を行う。弁２１が吐止水動作と湯水切換動作を行うので、水の配管４０と湯の配管４１によりそれぞれ弁２１に供給された水と湯は、弁２１から出てホース３０を通ってヘッド部２９に供給され、吐出部１３から流れ出る。
【００２８】
操作部２０は、上部ケース２５の先端部に固定された円筒状ケーシング６４と、円筒状ケーシング６４に係合して回動可能な円筒カム６５と、円筒状ケーシング６４，円筒カム６５などを覆う円筒状カバー６６と、円筒状カバー６６に取付けられた操作レバー２８とを有している。
操作部２０の中心部には、貫通孔６９が軸線方向に形成されており、この貫通孔６９には、ホース３０がほぼその軸線方向に移動可能に挿通している。
円筒状ケーシング６４は、非回転状態に上部ケース２５に取付けられている。操作レバー２８は、円筒状カバー６６に取付けられて、軸線ＣＬ1を中心として矢印Ｂ1に示すように回動可能である。
円筒カム６５の大径部６７に円筒カバー６６が固定されているので、円筒カム６５，円筒カバー６６および操作レバー２８は、円筒状ケーシング６４に対して、その中心軸線ＣＬ2を中心として矢印Ｂ2に示すように回動可能である。すなわち、操作レバー２８を矢印Ｂ2に示すように操作すれば、円筒状カバー６６と円筒カム６５は、中心軸線ＣＬ2まわりに回転する。
【００２９】
円筒状ケーシング６４は大径部７０と小径部７１を有している。大径部７０と小径部７１は、ともに円筒状をなして中心部に貫通孔６９が形成されている。小径部７１の周面には切欠部７２が形成されている。
切欠部７２には、中心軸線ＣＬ2と平行に複数（ここでは、二本）の案内シャフト７３が取付けられている。案内シャフト７３には、部分円筒状の外周面を有するスライド部材７４が係合している。
スライド部材７４は、中心軸線ＣＬ2と平行な方向に、矢印Ｇに示すように移動可能になっている。スライド部材７４の外周面には、円周方向に延びた長孔７５が形成されている。スライド部材７４の外周面と小径部７１の外周面は、面一になって全体として円筒面を形成している。
スライド部材７４の端面（大径部７０側の端面７６）には、第１のワイヤ２３の端部が連結されている。したがって、スライド部材７４が矢印Ｇに示すように移動すれば、第１のワイヤ２３もその軸線方向に移動することになる。スライド部材７４に連結された第１のワイヤ２３は、大径部７０に形成された貫通孔７７を貫通したのち上部ケース２５内に延びている。
【００３０】
操作レバー２８の根元部７８には、リンク７９が半径方向外方に突出して固定され、リンク７９の先端部にはピン８０が固定されている。円筒状の内周面８１を有するカム部材８２が、リンク７９に係合するとともに、スライド部材７４の長孔７５に係合している。カム部材８２にはカム溝８３が斜めに形成されており、カム溝８３にリンク７９のピン８０が係合している。
カム部材８２の内周面８１には係止片８４が突出して設けられており、係止片８４は長孔７５に係合している。カム部材８２の内周面８１は、スライド部材７４と小径部７１の各外周面にスライド自在に摺接している。
係止片８４が長孔７５に係合しているので、カム部材８２は、スライド部材７４と一緒になって矢印Ｇに示すように中心軸線ＣＬ2と平行に移動可能である。また、カム部材８２は、スライド部材７４と小径部７１の外周面をスライドして、中心軸線ＣＬ2を中心として、矢印Ｈに示すように円周方向に回動可能である。
円筒状ケーシング６４，スライド部材７４，カム部材８４およびリンク７９などにより、吐止水操作用カム機構６０が構成されている。
【００３１】
カム溝８３はカム部材８２に斜めに形成されている。したがって、操作レバー２８を矢印Ｂ1方向に操作してリンク７９を回転させると、ピン８０がカム溝８３内をスライドするので、カム部材８２は矢印Ｇ（中心軸線ＣＬ2と平行な方向）に示すように移動する。
カム部材８２は、スライド部材７４と小径部７１の外周面に沿って円周方向にスライドするが、カム部材８２の係止片８４はスライド部材７４の長孔７５内を移動可能なので、カム部材８２は、スライド部材７４と小径部７１の外周面をスムーズにスライドする。
このとき、スライド部材７４もカム部材８２と一緒になって矢印Ｇ方向に移動するので、スライド部材７４に連結されている第１のワイヤ２３が、その軸線方向に進退移動することになる。
【００３２】
円筒カム６５は、円筒状ケーシング６４の内方に嵌合して、中心軸線ＣＬ2を中心として回動可能になっている。円筒カム６５の外周面には螺旋状カム溝８５が形成されている。螺旋状カム溝８５にはカム従動子８６が係合し、カム従動子８６には第２のワイヤ２４の端部が連結されている。第２のワイヤ２４は、円筒状ケーシング６４に形成された貫通孔８７を挿通してその軸線方向に移動可能になっている。
円筒カム６５とカム従動子８６により、湯水切換操作用カム機構６１が構成されている。円筒カム６５が円筒状ケーシング６４の内方に嵌合した状態で、カム従動子８６は、円周方向に移動せず中心軸線ＣＬ2と平行な方向（矢印Ｊ）のみに移動可能なように規制されている。
操作レバー２８を矢印Ｂ2方向に操作して、円筒状カバー６６と円筒カム６５を中心軸線ＣＬ2を中心として回転させると、螺旋状カム溝８５も回転するので、カム従動子８６は矢印Ｊに示す方向に移動する。その結果、カム従動子８６に連結された第２のワイヤ２４は、その軸線方向に移動することになる。
【００３３】
弁駆動部３１は、弁２１の上に直接載置された状態で、筒状部材５３の内方に位置決め保持されている。円筒状の外周ケーシング１００が、筒状部材５３に非回転状態で固定されている。
外周ケーシング１００の内方には、円筒状の外周面を有する回転駆動用カム１０１が、外周ケーシング１００と同心で且つ回動可能に配置されている。
回転駆動用カム１０１は、正逆方向に回転運動のみを行なって、その軸線方向には移動しないように規制された状態で保持されている。回転駆動用カム１０１が回転すると、その回転運動は弁２１に直接伝達されるようになっている。
【００３４】
回転駆動用カム１０１の外周面にはカム溝１０２が斜めに形成され、カム溝１０２にはカム従動子１０３が係合している。カム従動子１０３には第２のワイヤ２４の端部が連結されている。カム従動子１０３は、矢印Ｄ2に示すように、第２のワイヤ２４の軸線方向にのみ移動可能なように規制された状態で、外周ケーシング１００により保持されている。
したがって、第２のワイヤ２４がその軸線方向に進退運動すると、第２のワイヤ２４に連結されたカム従動子１０３がカム溝１０２の内面を押すので、回転駆動用カム１０１は矢印Ｋに示すように回転運動を行う。
この回転駆動用カム１０１の回転運動は、その下方の弁２１に直接伝達されるので、弁２１は湯水切換動作を行う。すなわち、回転駆動用カム１０１の回転運動は、弁２１の部品である回転部材１１４に伝達されて回転部材１１４を回転させる。その結果、弁２１は水と湯を切換えることができる。
回転駆動用カム１０１，カム従動子１０３，外周ケーシング１００などにより、第２の弁駆動用カム機構６３が構成される。
【００３５】
回転駆動用カム１０１の内方には、第１の弁駆動用カム機構６２が配置されている。回転駆動用カム１０１には、所定形状（ここでは、矩形状）の係合孔１０５が形成されており、係合孔１０５には矩形状の板カム１０６が嵌合している。
板カム１０６は、回転駆動用カム１０１に対して軸線方向（矢印Ｄ1方向）にのみ移動可能であるが相対的に回転しないように規制された状態で、回転駆動用カム１０１に保持されている。
なお、回転駆動用カム１０１が回転すると、板カム１０６とレバー１０８も回転駆動用カム１０１と一緒に回転するが、回転角度（回転ストローク）は限られているので、回転によるねじれは第１のワイヤ２３で吸収される。
【００３６】
板カム１０６には斜めにカム溝１０７が形成されており、第１のワイヤ２３の端部が板カム１０６の上端面に連結されている。回転駆動用カム１０１には、レバー１０８が支持軸１０９により回動可能に支持されている。
レバー１０８には、カム従動子の機能を有するピン１１０が取付けられ、ピン１１０はカム溝１０７に係合している。ピン１１０は支持軸１０９より上方に位置しており、支持軸１０９の下方には係合部１１１が形成されている。レバー１０８は、支持軸１０９を中心として矢印Ｌに示すように回動可能になっている。
【００３７】
係合部１１１は、弁２１の構成部品である移動部材１１２の被係合部１１３に係合して、移動部材１１２を矢印Ｅ1に示すように直線運動させるようになっている。板カム１０６，レバー１０８，支持軸１０９，移動部材１１２などにより、第１の弁駆動用カム機構６２が構成されている。
したがって、第１のワイヤ２３がその軸線方向に移動すると、板カム１０６が、回転駆動用カム１０１に対して相対的に矢印Ｄ1に示すように上下方向に移動する。すると、カム溝１０７に係合しているピン１１０が移動して、レバー１０８が支持軸１０９を中心として矢印Ｌに示すように回転する。
その結果、レバー１０８の係合部１１１が被係合部１１３を押すので、移動部材１１２が矢印Ｅ1に示すように直線運動することになり、弁２１は吐止水動作を行う。
【００３８】
次に、水栓装置１の動作について説明する。
たとえば、システムキッチン２の前方で調理作業を行なっているユーザーは、操作部２０に対して吐止水操作を行い、また必要に応じて湯水切換操作を行う。
矢印Ｂ1に示すように、操作レバー２８を手前に引けば水を止めることができ、これとは反対側に押せば吐出部１３から水が流れ出る。水量調節は、操作レバー２８の位置（矢印Ｂ1方向の角度）を調節することにより行う。
この場合、操作レバー２８を、その軸線ＣＬ1を中心として矢印Ｂ1方向に回転させれば、リンク７９のピン８０がカム部材８２のカム溝８３内をスライドする。すると、カム部材８２が、円筒状ケーシング６４の小径部７１とスライド部材７４の各外周面上をスライドする。
このとき、係止片８４がスライド部材７４の長孔７５に係合しているので、スライド部材７４は、案内シャフト７３にガイドされながら操作部２０の中心軸線ＣＬ2と平行な矢印Ｇ方向に直線運動する。
【００３９】
このスライド部材７４の直線運動は、スライド部材７４に連結されている第１のワイヤ２３に伝達されて、第１のワイヤ２３がその軸線方向に進退運動を行う。第１のワイヤ２３は、貫通孔７７，第１のワイヤ拘束管５４，第１の孔５０などにより周囲を囲まれて拘束されているので、第１のワイヤ２３の進退運動は、弁駆動部３１の板カム１０６に伝達される。
すると、板カム１０６が矢印Ｄ1方向（上下方向）に移動する。カム溝１０７とピン１１０を介して、レバー１０８が支持軸１０９を中心として矢印Ｌに示すように回転する。これにより、レバー１０８の係合部１１１が、弁２１の移動部材１１２を矢印Ｅ1に示すように直線運動させる。この移動部材１１２の直線運動により、弁２１は吐止水動作を行う。
その結果、水の配管４０と湯の配管４１の一方または両方が、ホース３０と連通して水量の調節を行なったり、連通を遮断して止水を行う。配管４０，４１の一方または両方がホース３０と連通すると、水と湯の一方または両方は、ホース３０を流れてヘッド部２９の吐出部１３から流れ出る。
【００４０】
次に、湯水を切換える場合には、操作レバー２８を矢印Ｂ2に示すように中心軸線ＣＬ2を中心として回転させる。たとえば、水栓１２の前方に立っているユーザーから見て、操作レバー２８を右方向に向ければ水の供給になり、左方向に向ければ湯の供給になる。水温調節は、その間の任意の角度で操作レバー２８を止めれば任意の温度を選択することができる。
こうして、操作レバー２８を中心軸線ＣＬ2を中心として矢印Ｂ2方向に回転させれば、操作レバー２８の取付けられた操作部２０の円筒状カバー６６が、矢印Ｂ2に示すように回転する。すると、円筒状カバー６６に固定された円筒カム６５も一緒に回転する。
すなわち、操作レバー２８を矢印Ｂ2方向に回転させると、リンク７９のピン８０とカム溝８３を介して、カム部材８２も矢印Ｈに示すように中心軸線ＣＬ2まわりに回転する。このとき、係止片８４が係合する長孔７５は円周方向に長くなっているので、係止片８４は長孔７５内を円周方向に移動する。カム部材８２は、スライド部材７４に影響を与えることなく自由に回転する。
【００４１】
円筒カム６５が回転するので、螺旋状カム溝８５とカム従動子８６を介して、第２のワイヤ２４がその中心軸線方向に進退運動を行う。第２のワイヤ２４は、貫通孔８７，第２のワイヤ拘束管５５，第２の孔５１などにより周囲を囲まれて拘束された状態なので、中心軸線方向にのみ進退運動を行う。
第２のワイヤ２４の進退運動は、弁駆動部３１に伝達されて、カム従動子１０３およびカム溝１０２を介して回転駆動用カム１０１を回転させる。この回転駆動用カム１０１が回転する角度は、操作レバー２８を矢印Ｂ2方向に回転させた角度に対応している。
回転駆動用カム１０１の回転動作は、弁２１の回転部材１１４に直接的に伝達されるので、回転部材１１４は矢印Ｅ2に示すように任意の角度回転する。その結果、水の配管４０から供給される水に対して、湯の配管４１から供給される湯の混合比が、０〜１００％の範囲で混合される。こうして温度調節された水または温水は、ホース３０を流れて吐出部１３から流れ出る。
【００４２】
水栓１２から離れた位置に水を流したい場合には、ヘッド部２９を、矢印Ｆに示すように前方に引き出す。すると、ヘッド部２９は、操作部２０から離れた任意の位置にまで引き出される。
ホース３０は、筒状部材５３に斜めに形成された貫通孔４２を挿通しており、下部ケース２６と上部ケース２５内を移動して引っ張り出されたり収納されたりする。余ったホース３０は、カウンター１１の下方で垂れ下がっているが、カウンター１１の下方はユーザーから見えないので外観上は問題ない。
【００４３】
このように、本実施例では、従来の電気的な動作に代えて、操作部２０で機械的に吐止水および湯水切換えの各操作を行うとともに、この操作部２０での動作を伝達手段２２で弁２１に機械的に伝達している。その結果、操作レバー２８の操作が機械的に直ちに弁２１に伝達されることになり、弁２１は、タイムラグが生じることなく感度よく直ちに動作する。
弁２１とこの弁２１を駆動する弁駆動部３１を、カウンター１１の下部に設けたので、カウンター１１の上部に位置する水栓１２が、外観上極めてシンプルですっきりとした形状で意匠性も良好で軽量化される。
また、水栓１２には、従来のレバーカートリッジなどによる凸凹がほとんどないので、水栓１２に水が溜まって水垢が発生する恐れがなく、清掃も簡単で常に清潔に保つことができる。
弁２１や弁駆動部３１は意匠のデザインの対象から外れるので、自由な発想で水栓１２の意匠をデザインすることができる。
【００４４】
操作部２０が、ユーザーに近い位置、すなわち水栓１２の先端部近傍に配置されているので、すべてのユーザー、特に子供や老人も操作レバー２８を容易に操作することができる。
従来の水栓装置では、引き出し可能なシャワーホースを設けることができない場合があったが、本実施例の水栓装置１では、引き出し可能なシャワーホース付きタイプを実現することができる。
水栓装置１は電気を使用しないので、システムキッチン２で速い作業スピードで調理などを行なっているときでも、吐止水，湯水切換えなどを感度よく高速で行うことができ、また、配線工事も不要である。
【００４５】
以上、本発明の実施例を説明したが、本発明は上述の実施例に限定されるものではなく、本発明の要旨の範囲で種々の変形，付加などが可能である。
なお、各図中同一符号は同一または相当部分を示す。
【産業上の利用可能性】
【００４６】
本発明は、システムキッチンや洗面化粧台などの水槽に水を流すための水栓装置に適用可能である。
【図面の簡単な説明】
【００４７】
【図１】図１ないし図１８は本発明の一実施例を示す図で、図１は、本発明の水栓装置が設けられたシステムキッチンの一部を示す斜視図である。
【図２】水栓装置の全体を示す正面図で、一部を断面で示している。
【図３】水栓装置の全体を示す斜視図で、一部を断面で示している。
【図４】水栓装置の分解斜視図である。
【図５】水栓装置の一部を示す分解斜視図である。
【図６】水栓を示す斜視図である。
【図７】水栓における吐止水操作を示す斜視図である。
【図８】水栓における湯水切換え操作を示す斜視図である。
【図９】水栓におけるヘッド部を引き出した状態を示す斜視図である。
【図１０】水栓の取付け構造を示す斜視図である。
【図１１】操作部の分解斜視図である。
【図１２】他の方向から見たときの操作部の分解斜視図である。
【図１３】操作部の組込み途中の状態を示す分解斜視図である。
【図１４】図１３に示す組込みに続く操作部の組込み途中の状態を示す分解斜視図である。
【図１５】操作部の組込みが完了した状態を示す斜視図である。
【図１６】弁駆動部などを示す部分拡大断面図である。
【図１７】弁駆動部の斜視図である。
【図１８】弁駆動部の内部構造を示す断面斜視図である。
【符号の説明】
【００４８】
１      水栓装置
８      シンク（水槽）
１１    カウンター
１２    水栓
１３    吐出部
２０    操作部
２１    弁
２２    伝達手段
２３    第１のワイヤ
２４    第２のワイヤ
２５    上部ケース（ケース部）
２９    ヘッド部
３０    ホース
３１    弁駆動部
４７    ガイド手段
６０    吐止水操作用カム機構
６１    湯水切換操作用カム機構
６２    第１の弁駆動用カム機構
６３    第２の弁駆動用カム機構
【図１】
2008081989.tif 000003
【図２】
2008081989.tif 000004
【図３】
2008081989.tif 000005
【図４】
2008081989.tif 000006
【図５】
2008081989.tif 000007
【図６】
2008081989.tif 000008
【図７】
2008081989.tif 000009
【図８】
2008081989.tif 000010
【図９】
2008081989.tif 000011
【図１０】
2008081989.tif 000012
【図１１】
2008081989.tif 000013
【図１２】
2008081989.tif 000014
【図１３】
2008081989.tif 000015
【図１４】
2008081989.tif 000016
【図１５】
2008081989.tif 000017
【図１６】
2008081989.tif 000018
【図１７】
2008081989.tif 000019
【図１８】
2008081989.tif 000020